(57)【要約】【課題】モニタ画面の大きさによって異なる画像が表示されるようにすることで、居室親機における利便性を低下させることなく、ワイヤレス端末における視認性を向上させたインターホン装置を提供する。【解決手段】カメラ付き玄関子機１０から受け取ったカメラ１０１により撮像された画像データを居室親機２０のモニタ２０７に表示する一方で、カメラ１０１により撮像された画像データの一部を居室親機２０の画像切り出し部２０３により切り出し、この切り出された切り出し画像データをワイヤレス端末表示用の画像データとしてワイヤレス端末３０に送信し、ワイヤレス端末３０のモニタ３０３に表示する。【選択図】図１
2010278765.tif 000002
【特許請求の範囲】
【請求項１】
来訪者を撮像するためのカメラおよび居住者を呼び出す機能を備えたカメラ付き玄関子機と、前記カメラの撮像映像を表示するモニタおよび前記カメラ付き玄関子機からの呼び出しに応答する機能を備えた居室親機と、前記居室親機から無線伝送される前記カメラの撮像映像を表示するモニタおよび前記カメラ付き玄関子機からの呼び出しに応答する機能を備えたワイヤレス端末と、を有するインターホン装置において、
前記居室親機は、前記カメラ付き玄関子機から受け取った前記カメラにより撮像された広角画像データの一部を切り出す画像切り出し手段を有しており、前記画像切り出し手段により切り出された切り出し画像データを前記ワイヤレス端末に送信する、
インターホン装置。
【請求項２】
来訪者を撮像するためのカメラおよび居住者を呼び出す機能を備えたカメラ付き玄関子機と、前記カメラの撮像映像を表示するモニタおよび前記カメラ付き玄関子機からの呼び出しに応答する機能を備えた居室親機と、前記居室親機から無線伝送される前記カメラの撮像映像を表示するモニタおよび前記カメラ付き玄関子機からの呼び出しに応答する機能を備えたワイヤレス端末と、を有するインターホン装置において、
前記カメラ付き玄関子機は、前記カメラにより撮像された広角画像データの一部を切り出す画像切り出し手段と、
前記カメラにより撮像された画像データと、前記画像切り出し手段により切り出された切り出し画像データとを前記居室親機に交互に伝送する伝送手段と、を有しており、
前記居室親機は、前記カメラ付き玄関子機から受け取った前記カメラにより撮像された画像データを前記モニタに表示する一方、前記切り出し画像データを前記ワイヤレス端末に送信する、
インターホン装置。
【請求項３】
前記画像切り出し手段は、前記カメラにより撮像された画像データの中心部を切り出すことを特徴とする、
請求項１または２記載のインターホン装置。
【請求項４】
前記画像切り出し手段は、前記カメラにより撮像された画像データのうち、顔部分を認識するとともに、前記顔部分の中心部を中心として切り出すことを特徴とする、
請求項１または２記載のインターホン装置。
【請求項５】
来訪者を撮像するためのカメラおよび居住者を呼び出す機能を備えたカメラ付き玄関子機と、前記カメラの撮像映像を表示するモニタおよび前記カメラ付き玄関子機からの呼び出しに応答する機能を備えた居室親機と、前記居室親機から無線伝送される前記カメラの撮像映像を表示するモニタおよび前記カメラ付き玄関子機からの呼び出しに応答する機能を備えたワイヤレス端末と、を有するインターホン装置において、
前記カメラ付き玄関子機は、前記カメラにより撮像された画像データを前記居室親機に伝送する伝送手段と、を有しており、
前記カメラ付き玄関子機の前記カメラは、第１の画角およびこの第１の画角よりも狭い画角である第２の画角の二種類の画角で交互に撮像を行うようになっており、
前記伝送手段は、前記第１の画角で撮像された画像データと、前記第２の画角で撮像された画像データとを前記居室親機に交互に伝送するようになっており、
前記居室親機は、前記カメラ付き玄関子機から受け取った、前記第１の画角で撮像された画像データを前記モニタに表示する一方、前記第２の画角で撮像された画像データを前記ワイヤレス端末に送信する、
インターホン装置。
【発明の詳細な説明】
【技術分野】
【０００１】
本発明は、カメラ付き玄関子機、居室親機、およびワイヤレス端末を含むインターホン装置に関する。
【背景技術】
【０００２】
従来、図８に示すような構成のインターホン装置１１０が知られている。このインターホン装置１１０は、カメラ付き玄関子機１２０と、このカメラ付き玄関子機１２０から伝送されたビデオ信号を受信し、受信したビデオ信号をモニタに映すことができる居室親機１３０とを含んでいる。
カメラ付き玄関子機１２０は居住者を呼び出すために用いられ、主に住戸の玄関に設置される。居室親機１３０はカメラ付き玄関子機１２０からの呼び出しに応答するために用いられ、その住戸内に設置される。このカメラ付き玄関子機１２０と居室親機１３０とは伝送線路１５０を介して接続される。また、居室親機１３０は、カメラ付き玄関子機１２０からの画像が居室親機１３０から無線伝送して表示されるワイヤレス端末１４０と接続される。このワイヤレス端末１４０は、居住者が携帯可能でカメラ付き玄関子機１２０からの呼び出しに応答することが可能となっている。
【先行技術文献】
【特許文献】
【０００３】
【特許文献１】特開２００４−２６０３９０号公報
【特許文献２】特開２００１−１２８１５７号公報
【発明の概要】
【発明が解決しようとする課題】
【０００４】
このインターホン装置１１０のカメラ付き玄関子機１２０は、来訪者を撮像するためのカメラ１２０１と、このカメラ１２０１から出力されるデジタルビデオ信号を圧縮するＪＰＥＧエンコーダ１２０２と、このＪＰＥＧエンコーダ１２０２により圧縮されたＪＰＥＧデータを居室親機１３０に伝送するための伝送部１２０３とを備える。
【０００５】
このインターホン装置１１０の居室親機１３０は、カメラ付き玄関子機１２０の伝送部１２０３から送信されたＪＰＥＧデータを受信するための伝送部１３０１と、受信したＪＰＥＧデータを伸張するＪＰＥＧデコーダ１３０２と、このＪＰＥＧデコーダ１３０２により伸張されたデジタルビデオ信号の画像を表示するモニタ１３０３と、ＪＰＥＧデコーダ１３０２により伸張されたデジタルビデオ信号を圧縮するＪＰＥＧエンコーダ１３０４と、このＪＰＥＧエンコーダ１３０４により圧縮されたＪＰＥＧデータをワイヤレス端末１４０に無線伝送するためのワイヤレスモジュール１３０５とを備える。
【０００６】
ワイヤレス端末１４０は、居室親機１３０から無線伝送されたＪＰＥＧデータを受信するワイヤレスモジュール１４０１と、ワイヤレスモジュール１４０１により受信したＪＰＥＧデータを伸張するＪＰＥＧデコーダ１４０２と、このＪＰＥＧデコーダ１４０２によりデコードされたデジタルビデオ信号を表示するモニタ１４０３とを備えている。
【０００７】
以上のようなインターホン装置１１０において、カメラ付き玄関子機１２０のカメラ１２０１により撮像され生成されたデジタルビデオ信号は、ＪＰＥＧエンコーダ１２０２により圧縮されて、圧縮画像データ、すなわちＪＰＥＧデータとなり、カメラ付き玄関子機１２０の伝送部１２０３から伝送線路１５０を介して居室親機１３０の伝送部１３０１に送信される。
居室親機１３０に送信されたＪＰＥＧデータは、伝送部１３０１からＪＰＥＧデコーダ１３０２に入力され、デジタルビデオ信号に伸張される。このデジタルビデオ信号の画像は、モニタ１３０３に入力され、表示される。
また、伸張されたデジタルビデオ信号は、ＪＰＥＧエンコーダ１３０４によりＪＰＥＧデータに圧縮され、ワイヤレスモジュール１３０５からワイヤレス端末１４０に無線伝送される。
居室親機１３０のワイヤレスモジュール１３０５からワイヤレス端末１４０のワイヤレスモジュール１４０１に無線伝送されたＪＰＥＧデータは、ＪＰＥＧデコーダ１４０２により伸張されてモニタ１４０３に入力され、表示される。
このような構成のインターホン装置１１０では、居室親機１３０のモニタ１３０３およびワイヤレス端末１４０のモニタ１４０３に、同一の画像が表示されることとなる。
【０００８】
ここで、カメラ付き玄関子機１２０のカメラ１２０１として広画角（広角）で撮像可能なものを使用した場合、モニタ画面の大きい居室親機１３０においては、モニタ１３０３に来訪者の顔だけでなくその人物の服装や持ち物なども表示されるため、広い範囲の様子を把握することができ、利便性が高い。しかしながらその一方、ワイヤレス端末１４０のモニタ１４０３においても居室親機１３０のモニタ１３０３に表示される画像と同一の画像が表示されるため、居室親機１３０と比べてモニタ画面の小さいワイヤレス端末１４０においては、モニタ１４０３に表示される人物の顔が非常に小さくなり誰だか認識しづらく、視認性が低いものとなっていた。
【０００９】
本発明は、以上のような問題点に鑑みてなされたものであり、モニタ画面の大きさによって異なる画像が表示されるようにすることで、居室親機における利便性を低下させることなく、ワイヤレス端末における視認性を向上させたインターホン装置を提供することを課題とするものである。
【課題を解決するための手段】
【００１０】
かかる課題を解決するため、本願発明者は、以下のようなインターホン装置を提案する。
【００１１】
本願のインターホン装置は、来訪者を撮像するためのカメラおよび居住者を呼び出す機能を備えたカメラ付き玄関子機と、前記カメラの撮像映像を表示するモニタおよび前記カメラ付き玄関子機からの呼び出しに応答する機能を備えた居室親機と、前記居室親機から無線伝送される前記カメラの撮像映像を表示するモニタおよび前記カメラ付き玄関子機からの呼び出しに応答する機能を備えたワイヤレス端末と、を有するインターホン装置である。
この居室親機は、前記カメラ付き玄関子機から受け取った前記カメラにより撮像された広角画像データの一部を切り出す画像切り出し手段を有しており、前記画像切り出し手段により切り出された切り出し画像データを前記ワイヤレス端末に送信するようになっている。
このようなインターホン装置では、カメラにより撮像された画像データの一部を居室親機の画像切り出し手段により切り出すと共に、画像切り出し手段により切り出された切り出し画像データをワイヤレス端末表示用の画像データとしてワイヤレス端末に送信し、ワイヤレス端末のモニタに表示することができる。このように、このインターホン装置によれば、モニタ画面の大きさに応じた異なる画像データを表示、具体的には、カメラ付き玄関子機から受け取ったカメラにより撮像された画像データをモニタ画面の大きい居室親機のモニタに表示する一方で、切り出し画像データ、すなわちカメラにより撮像された画像データの一部分を拡大した画像データをモニタ画面の小さいワイヤレス端末のモニタに表示することができるため、居室親機における利便性を低下させることなく、ワイヤレス端末における視認性を向上させることができる。
【００１２】
本願はまた、以下のようなインターホン装置を提供する。
このインターホン装置は、来訪者を撮像するためのカメラおよび居住者を呼び出す機能を備えたカメラ付き玄関子機と、前記カメラの撮像映像を表示するモニタおよび前記カメラ付き玄関子機からの呼び出しに応答する機能を備えた居室親機と、前記居室親機から無線伝送される前記カメラの撮像映像を表示するモニタおよび前記カメラ付き玄関子機からの呼び出しに応答する機能を備えたワイヤレス端末と、を有する。
このカメラ付き玄関子機は、前記カメラにより撮像された画像データの一部を切り出す画像切り出し手段と、前記カメラにより撮像された広角画像データと、前記画像切り出し手段により切り出された切り出し画像データとを前記居室親機に交互に伝送する伝送手段と、を有しており、前記居室親機は、前記カメラ付き玄関子機から受け取った前記カメラにより撮像された画像データを前記モニタに表示する一方、前記画像切り出し手段により切り出された切り出し画像データを前記ワイヤレス端末に送信するようになっている。
このインターホン装置では、カメラ付き玄関子機の画像切り出し手段によりカメラにより撮像された画像データの一部が切り出され、カメラにより撮像された画像データと、この切り出し画像データとが伝送手段により交互に居室親機に伝送されるようになっている。居室親機は、カメラ付き玄関子機から受け取ったカメラにより撮像された画像データを居室親機のモニタに表示し、切り出し画像データをワイヤレス端末表示用の画像データとしてワイヤレス端末に送信する。すなわち、このインターホン装置においても、上記インターホン装置と同様に、モニタ画面の大きさに応じた異なる画像データを表示、具体的には、カメラ付き玄関子機から受け取ったカメラにより撮像された画像データをモニタ画面の大きい居室親機のモニタに表示する一方で、切り出し画像データ、すなわちカメラにより撮像された画像データの一部分を拡大した画像データをモニタ画面の小さいワイヤレス端末のモニタに表示することができるため、居室親機における利便性を低下させることなく、ワイヤレス端末における視認性を向上させることができる。
【００１３】
前記画像切り出し手段は、カメラにより撮像された画像データを一部を切り出すようになっていればどのように構成されていてもよく、例えば、前記カメラにより撮像された画像データの中心部を切り出すようになっていてもよい。
このような画像切り出し手段によれば、居室親機のモニタに表示される画像データの中心部と、ワイヤレス端末のモニタに表示される画像データの中心部とが固定値で一致するため、切り出しが容易となる。
【００１４】
また、前記画像切り出し手段は、前記カメラにより撮像された画像データのうち、顔部分を認識するとともに、前記顔部分の中心部を中心として切り出すようになっていてもよい。
このような画像切り出し手段によれば、切り出した画像データの中心が訪問者の顔部分の中心となるため、確実に訪問者の顔を拡大した画像データを切り出すことができる。
【００１５】
また、本発明は、以下のインターホン装置を提供する。
このインターホン装置は、来訪者を撮像するためのカメラおよび居住者を呼び出す機能を備えたカメラ付き玄関子機と、前記カメラの撮像映像を表示するモニタおよび前記カメラ付き玄関子機からの呼び出しに応答する機能を備えた居室親機と、前記居室親機から無線伝送される前記カメラの撮像映像を表示するモニタおよび前記カメラ付き玄関子機からの呼び出しに応答する機能を備えたワイヤレス端末と、を有する。
このカメラ付き玄関子機は、前記カメラにより撮像された画像データを前記居室親機に伝送する伝送手段と、を有しており、前記カメラ付き玄関子機の前記カメラは、第１の画角およびこの第１の画角よりも狭い画角である第２の画角の二種類の画角で交互に撮像を行うようになっており、前記伝送手段は、前記第１の画角で撮像された画像データと、前記第２の画角で撮像された画像データとを前記居室親機に交互に伝送するようになっており、前記居室親機は、前記カメラ付き玄関子機から受け取った、前記第１の画角で撮像された画像データを前記モニタに表示する一方、前記第２の画角で撮像された画像データを前記ワイヤレス端末に送信するようになっている。
このようなインターホン装置によれば、カメラ付き玄関子機のカメラが、第１の画角およびこの第１の画角よりも狭い画角である第２の画角の二種類の画角で交互に撮像を行うようになっているので、居室親機表示用の画像データと、ワイヤレス端末表示用の画像データとを画像変換することなく得ることができ、画像変換によるノイズのない滑らかな画像データを得ることができる。また、上記のインターホン装置と同様に、モニタ画面の大きさに応じた異なる画像データを表示することができるため、居室親機における利便性を低下させることなく、ワイヤレス端末における視認性を向上させることができる。
【発明の効果】
【００１６】
本発明によれば、モニタ画面の大きさによって異なる画像が表示されるようにすることで、居室親機における利便性を低下させることなく、ワイヤレス端末における視認性を向上させるインターホン装置を提供することができる。
【図面の簡単な説明】
【００１７】
【図１】第１実施形態のインターホン装置の全体構成を示すブロック図。
【図２】第１実施形態のインターホン装置の画像データの流れを示す図。
【図３】第２実施形態のインターホン装置の全体構成を示すブロック図。
【図４】第２実施形態のインターホン装置の画像データの流れを示す図。
【図５】第３実施形態のインターホン装置の全体構成を示す図。
【図６】第３実施形態のインターホン装置のカメラによる撮像の順序を示すフローチャート。
【図７】第３実施形態のインターホン装置の画像データの流れを示す図。
【図８】従来のインターホン装置の全体構成を示すブロック図。
【発明を実施するための形態】
【００１８】
以下、本発明のインターホン装置の好ましい実施形態を、図面を参照しながら詳細に説明する。
【００１９】
＜第１実施形態＞
この実施形態によるインターホン装置１は、概略で図１に示したように構成される。インターホン装置１は、カメラ付き玄関子機１０と、このカメラ付き玄関子機１０から伝送されたビデオ信号を受信し、受信したビデオ信号をモニタに映すことができる居室親機２０と、カメラ付き玄関子機１０からの画像が居室親機２０から無線伝送して表示されるワイヤレス端末３０とを含んでいる。
カメラ付き玄関子機１０は、居住者を呼び出すために用いられ、主に住戸の玄関に設置される。居室親機２０は、カメラ付き玄関子機１０からの呼び出しに応答するために用いられ、その住戸内に設置される。このカメラ付き玄関子機１０と居室親機２０とは伝送線路４０を介して接続される。ワイヤレス端末３０は、居住者が携帯可能でカメラ付き玄関子機１０からの呼び出しに応答することが可能となっており、住戸内の適当な場所で、適宜使用される。
【００２０】
以下、カメラ付き玄関子機１０、居室親機２０、およびワイヤレス端末３０の構成について説明する。まず、カメラ付き玄関子機１０の構成を説明する。
【００２１】
カメラ付き玄関子機１０は、来訪者を撮像するカメラ１０１と、ＪＰＥＧエンコーダ１０２と、伝送部１０３とを備える。
【００２２】
カメラ１０１は、来訪者を撮像するものであり、例えば１７０°の広画角で撮像可能なものである。
ＪＰＥＧエンコーダ１０２は、カメラ１０１から出力される広角画像データを圧縮し、圧縮画像データ、すなわちＪＰＥＧデータにエンコードするものである。
伝送部１０３は、ＪＰＥＧエンコーダ１０２から出力されるＪＰＥＧデータを伝送線路４０を介して居室親機２０に伝送するものである。
【００２３】
居室親機２０は、伝送部２０１と、マルチプレクサ２０２と、画像切り出し部２０３と、シリアル通信部２０４と、ワイヤレスモジュール２０５と、ＪＰＥＧデコーダ２０６と、モニタ２０７とを備える。
伝送部２０１は、伝送線路４０を介してカメラ付き玄関子機１０から伝送されたＪＰＥＧデータを含んだ信号を受信するものである。
マルチプレクサ２０２は、伝送部２０１で受信したＪＰＥＧデータの出力先を切り替えるものであり、ＪＰＥＧデータを画像切り出し部２０３およびＪＰＥＧデコーダ２０６のうち少なくとも１つに出力する。
【００２４】
画像切り出し部２０３は、マルチプレクサ２０２から受け取ったＪＰＥＧデータの一部を切り出すものである。
シリアル通信部２０４は、画像切り出し部２０３により切り出された切り出しＪＰＥＧデータの伝送制御を行うものである。
ワイヤレスモジュール２０５は、切り出しＪＰＥＧデータをワイヤレス端末３０に無線伝送するためのものである。
【００２５】
ＪＰＥＧデコーダ２０６は、マルチプレクサ２０２から受け取ったＪＰＥＧデータを伸張し、画像データを出力するものである。
モニタ２０７は、例えば４〜５インチ程度のサイズのモニタであり、ＪＰＥＧデコーダ２０６から出力された画像データを表示するものである。
【００２６】
ワイヤレス端末３０は、居室親機２０から無線伝送されてきたＪＰＥＧデータを含む信号を受信するワイヤレスモジュール３０１と、ワイヤレスモジュール３０１により受信したＪＰＥＧデータを伸張し、デジタルビデオ信号にデコードするＪＰＥＧデコーダ３０２と、このＪＰＥＧデコーダによりデコードされたデジタルビデオ信号を表示する、例えば２〜３インチ程度のサイズのモニタ３０３とを備えている。
【００２７】
次に、以上のような構成のインターホン装置１の動作について、説明する。ただし、インターホン装置１の基本動作であるカメラ付き玄関子機１０から居室親機２０の呼び出し、居室親機２０によるその応答操作に伴う動作は従来と同様であるため説明を省略し、ここでは、カメラ付き玄関子機１０の呼出操作に基づきカメラ１０１から出力される信号の流れを中心に説明する。
【００２８】
カメラ付き玄関子機１０のカメラ１０１により広画角で撮像され生成された広角画像データは、ＪＰＥＧエンコーダ１０２に入力される。
ＪＰＥＧエンコーダ１０２は、カメラ１０１からの広角画像データを圧縮し、ＪＰＥＧデータにエンコードする。ＪＰＥＧエンコーダ１０２から出力されたＪＰＥＧデータは、伝送部１０３から伝送線路４０を介して居室親機２０に送信される。
【００２９】
カメラ付き玄関子機１０から伝送線路４０を介して居室親機２０に送信されたＪＰＥＧデータは、伝送部２０１により受信される。伝送部２０１により受信されたＪＰＥＧデータは、マルチプレクサ２０２に入力される。
マルチプレクサ２０２は、伝送部２０１から受け取ったＪＰＥＧデータを、画像切り出し部２０３またはＪＰＥＧデコーダ２０６のいずれかに出力する。
【００３０】
画像切り出し部２０３は、マルチプレクサ２０２から入力されたＪＰＥＧデータから、カメラ１０１の撮像画像のうち、周辺部の画像を削除し、所定の中心部の画像を取り出す。すなわち、画像中心部を所定のサイズに切り出す。このように切り出された切り出しＪＰＥＧデータは、シリアル通信部２０４に入力される。
【００３１】
画像切り出し部２０３からシリアル通信部２０４に入力された切り出しＪＰＥＧデータは、ワイヤレスモジュール２０５を介してワイヤレス端末３０に無線伝送される。
【００３２】
一方、マルチプレクサ２０２からＪＰＥＧデコーダ２０６に入力されたＪＰＥＧデータは、ＪＰＥＧデコーダ２０６により伸張され、モニタ２０７に表示される。
すなわち、居室親機２０のモニタ２０７には、カメラ１０１により広画角で撮像された画像データ自体が表示されるため、来訪者の顔だけでなくその人物の服装や持ち物なども表示され、広い範囲の様子を把握することができ、利便性が高い画像が表示されることとなる。
【００３３】
居室親機２０のワイヤレスモジュール２０４からワイヤレス端末３０のワイヤレスモジュール３０１に無線伝送された切り出しＪＰＥＧデータは、ＪＰＥＧデコーダ３０２により伸張され、モニタ３０３に表示される。
すなわち、モニタ３０３には、カメラ１０１により撮像された画像中心部を所定のサイズに切り出した画像、つまり来訪者の顔を拡大した画像が表示されるため、来訪者の顔を認識し易い画像が表示されることとなる。
【００３４】
以上のような本実施形態のインターホン装置１では、図２に示すように、カメラ付き玄関子機１０のカメラ１０１により撮像された画像データ（Ａ）が居室親機２０に送信される。
居室親機２０のモニタ２０７には、この画像データ（Ａ）が表示される。その一方、居室親機２０の画像切り出し部２０３によって画像データ（Ａ）の一部が切り出された切り出し画像データである画像データ（Ｂ）がワイヤレス端末表示用の画像データとして居室親機２０からワイヤレス端末３０に送信されるため、ワイヤレス端末３０のモニタ３０３には、画像データ（Ｂ）が表示される。
【００３５】
すなわち、本実施形態のインターホン装置１によれば、カメラ付き玄関子機１０から受け取ったカメラ１０１により撮像された画像データをモニタ画面の大きい居室親機２０のモニタ２０７に表示する一方で、切り出し画像データ、つまりカメラ１０１により撮像された画像データの一部分を拡大した画像データをモニタ画面の小さいワイヤレス端末３０のモニタ３０３に表示することができるため、モニタ画面の大きさに応じた異なる画像データを表示することができ、居室親機２０における利便性を低下させることなく、ワイヤレス端末３０における視認性を向上させることができる。
【００３６】
また、本実施形態の画像切り出し部２０３は、マルチプレクサ２０２から入力されたＪＰＥＧデータの中心部を切り出すようになっているので、居室親機２０のモニタ２０７に表示される画像データの中心部と、ワイヤレス端末３０のモニタ３０３に表示される画像データの中心部とが固定値で一致するため、容易に切り出すことができる。
なお、本実施形態の画像切り出し部２０３は以上のようなものとして説明したが、マルチプレクサ２０２から入力されたＪＰＥＧデータであるカメラ１０１により撮像された画像データの一部を切り出すようになっていればよく、例えば、カメラ１０１により撮像された画像データのうち、顔部分を認識するとともに、顔部分の中心部を中心として切り出すようになっていてもよい。このような画像切り出し部によれば、切り出した画像データの中心が訪問者の顔部分の中心であるため、確実に訪問者の顔を拡大した画像データを切り出すことができる。
【００３７】
以上説明したインターホン装置１において、ワイヤレス端末３０側を操作することにより、ワイヤレス端末３０のモニタ３０３に表示されている画像データを縮小または拡大したり、その表示範囲を変更できるように構成してもよい。
具体的には、ワイヤレス端末３０の操作信号が居室親機２０に送信された場合に、居室親機２０の画像切り出し部２０３により、居室親機表示用の画像データを元に、ワイヤレス端末３０の操作信号に基づいて縮小・拡大または表示範囲を変更した画像データが生成され、この生成された画像データが居室親機２０からワイヤレス端末３０に送信され、再度モニタ３０３に表示されるようになっていてもよい。
【００３８】
＜第２実施形態＞
この実施形態によるインターホン装置２は、概略で図３に示したように構成される。インターホン装置２は、カメラ付き玄関子機５０と、居室親機６０と、ワイヤレス端末３０とを含んでいる。
本実施形態のインターホン装置２は、ワイヤレス端末表示用の画像データを居室親機側ではなくカメラ付き玄関子機側で生成する構成となっている点で、第１実施形態のインターホン装置１と異なる。
【００３９】
以下、第１実施形態と異なるカメラ付き玄関子機５０、および居室親機６０の構成について説明する。まず、カメラ付き玄関子機５０の構成を説明する。
【００４０】
カメラ付き玄関子機５０は、来訪者を撮像するカメラ５０１と、ＪＰＥＧエンコーダ５０２と、画像切り出し部５０３と、第１マルチプレクサ５０４と、伝送部５０５とを備える。
【００４１】
カメラ５０１は、来訪者を撮像するものであり、例えば１７０°の広画角で撮像可能なものである。
ＪＰＥＧエンコーダ５０２は、カメラ５０１から出力される広角画像データを圧縮し、圧縮画像データ、すなわちＪＰＥＧデータにエンコードするものである。
画像切り出し部５０３は、ＪＰＥＧエンコーダ５０２から出力されるＪＰＥＧデータの一部を切り出すものである。
第１マルチプレクサ５０４は、ＪＰＥＧエンコーダ５０２から出力されるＪＰＥＧデータと、画像切り出し部５０３から出力される切り出された切り出しＪＰＥＧデータとを伝送部５０５に順番に出力するものである。
伝送部５０５は、第１マルチプレクサ５０４からのＪＰＥＧデータを伝送線路７０を介して居室親機６０に伝送するものである。
【００４２】
居室親機６０は、伝送部６０１と、第２マルチプレクサ６０２と、シリアル通信部６０３と、ワイヤレスモジュール６０４と、ＪＰＥＧデコーダ６０５と、モニタ６０６とを備える。
伝送部６０１は、伝送線路４０を介してカメラ付き玄関子機５０から伝送されたＪＰＥＧデータを含んだ信号を受信するものである。
第２マルチプレクサ６０２は、伝送部６０１で受信したＪＰＥＧデータの出力先を切り替えるものであり、ＪＰＥＧデータをシリアル通信部６０３またはＪＰＥＧデコーダ６０５のいずれかに出力する。
【００４３】
シリアル通信部６０３は、第２マルチプレクサ６０２から出力されるＪＰＥＧデータの伝送制御を行うものである。
ワイヤレスモジュール６０４は、ワイヤレス端末３０にＪＰＥＧデータを無線伝送するためのものである。
【００４４】
ＪＰＥＧデコーダ６０５は、第２マルチプレクサ６０２から出力されるＪＰＥＧデータを伸張し、画像データを出力するものである。
モニタ６０６は、例えば４〜５インチ程度のサイズのモニタであり、ＪＰＥＧデコーダ６０５から出力された画像データを表示するものである。
【００４５】
次に、以上のような構成のインターホン装置２の動作について、説明する。
【００４６】
カメラ付き玄関子機５０のカメラ５０１により広画角で撮像され生成された広角画像データは、ＪＰＥＧエンコーダ５０２に入力される。
ＪＰＥＧエンコーダ５０２は、カメラ５０１からの広角画像データを圧縮し、ＪＰＥＧデータにエンコードする。このＪＰＥＧデータは、画像切り出し部５０３および第１マルチプレクサ５０４の双方に入力される。
画像切り出し部５０３は、ＪＰＥＧエンコーダ５０２より入力されたＪＰＥＧデータから、カメラ５０１の撮像画像のうち、周辺部の画像を削除し、所定の中心部の画像を取り出す。すなわち、画像中心部を所定のサイズに切り出す。この切り出された切り出しＪＰＥＧデータは、第１マルチプレクサ５０４に入力される。
【００４７】
第１マルチプレクサ５０４は、ＪＰＥＧエンコーダ５０２から出力されるＪＰＥＧデータと、画像切り出し部５０３から出力される切り出しＪＰＥＧデータとを伝送部５０５に交互に出力する。
第１マルチプレクサ５０４から出力されたこれらのＪＰＥＧデータは、伝送部５０５から伝送線路７０を介して居室親機６０に送信される。
【００４８】
カメラ付き玄関子機５０から伝送線路７０を介して居室親機６０に送信されたＪＰＥＧデータは、伝送部６０１により受信される。伝送部６０１により受信されたＪＰＥＧデータは、第２マルチプレクサ６０２に入力される。
第２マルチプレクサ６０２は、伝送部６０１から受け取ったＪＰＥＧデータを、シリアル通信部６０３またはＪＰＥＧデコーダ６０５のいずれかに出力する。これにより、第２マルチプレクサ６０２に入力されたＪＰＥＧデータは、ワイヤレス端末３０への伝送用のＪＰＥＧデータまたは居室親機での表示用のＪＰＥＧデータのいずれかに振り分けられることとなる。
具体的には、カメラ付き玄関子機５０の画像切り出し部５０３から出力される切り出しＪＰＥＧデータがシリアル通信部６０３に出力され、カメラ付き玄関子機５０のＪＰＥＧエンコーダ５０２から出力されるＪＰＥＧデータがＪＰＥＧデコーダ６０５に出力されるようになっている。すなわち、第２マルチプレクサ６０２により、カメラ付き玄関子機５０の画像切り出し部５０３から出力される切り出しＪＰＥＧデータがワイヤレス端末３０への伝送用のＪＰＥＧデータに、カメラ付き玄関子機５０のＪＰＥＧエンコーダ５０２から出力されるＪＰＥＧデータが表示用のＪＰＥＧデータに振り分けられるようになっている。
【００４９】
第２マルチプレクサ６０２からシリアル通信部６０３に入力されたＪＰＥＧデータは、ワイヤレスモジュール６０４からワイヤレス端末３０に無線伝送される。
居室親機６０のワイヤレスモジュール６０４からワイヤレス端末３０のワイヤレスモジュール３０１に無線伝送されたＪＰＥＧデータは、ＪＰＥＧデコーダ３０２により伸張され、モニタ３０３に表示される。
【００５０】
一方、第２マルチプレクサ６０２からＪＰＥＧデコーダ６０５に入力されたＪＰＥＧデータは、ＪＰＥＧデコーダ６０５により伸張され、モニタ６０６に表示される。
【００５１】
以上のような本実施形態のインターホン装置２では、カメラ５０１により撮像された画像データの一部がカメラ付き玄関子機５０の画像切り出し部５０３により所定のサイズに切り出され、図４に示すように、カメラ５０１により撮像された画像データ（Ａ）と、画像切り出し部５０３により切り出された切り出し画像データである画像データ（Ｂ）とがカメラ付き玄関子機５０の伝送部５０５から居室親機６０に交互に伝送されるようになっている。居室親機６０では、カメラ付き玄関子機５０から受け取ったカメラ５０１により撮像された画像データ（Ａ）が居室親機６０のモニタ６０６に表示され、切り出し画像データ（Ｂ）がワイヤレス端末表示用の画像データとしてワイヤレス端末３０に送信されるようになっている。
すなわち、本実施形態のインターホン装置２においても、カメラ付き玄関子機５０から受け取ったカメラ５０１により撮像された画像データをモニタ画面の大きい居室親機６０のモニタ６０６に表示する一方で、切り出し画像データ、すなわちカメラ５０１により撮像された画像データの一部分を拡大した画像データをモニタ画面の小さいワイヤレス端末３０のモニタ３０３に表示することができるため、モニタ画面の大きさに応じた異なる画像データを表示することができ、居室親機６０における利便性を低下させることなく、ワイヤレス端末３０における視認性を向上させることができる。
【００５２】
また、本実施形態の画像切り出し部５０３は、第１実施形態の画像切り出し部２０３と同様、ＪＰＥＧエンコーダ５０２より入力されたＪＰＥＧデータの中心部を切り出すようになっているので、居室親機６０のモニタ６０６に表示される画像データの中心部と、ワイヤレス端末３０のモニタ３０３に表示される画像データの中心部とが固定値で一致するため、容易に切り出すことができる。
なお、第１実施形態の画像切り出し部２０３の変形例は、画像切り出し部５０３にも共通するものである。
【００５３】
この第２実施形態においても、第１実施形態と同様に、ワイヤレス端末３０側を操作することにより、ワイヤレス端末３０のモニタ３０３に表示されている画像データを縮小または拡大したり、その表示範囲を変更できるように構成してもよい。
具体的には、ワイヤレス端末３０の操作信号が居室親機６０を介してカメラ付き玄関子機５０に送信されるようになっており、カメラ付き玄関子機５０にワイヤレス端末３０の操作信号が送信された場合に、カメラ付き玄関子機５０の画像切り出し部５０３により、居室親機表示用の画像データを元に、ワイヤレス端末３０の操作信号に基づいて、縮小・拡大または表示範囲を変更した画像データが生成され、この生成された画像データがカメラ付き玄関子機５０から居室親機６０を介してワイヤレス端末３０に送信され、モニタ３０３に表示されるようになっていてもよい。
【００５４】
＜第３実施形態＞
この実施形態によるインターホン装置３は、概略で図５に示したように構成される。インターホン装置３は、カメラ付き玄関子機８０と、居室親機９０と、ワイヤレス端末３０とを含んでいる。
本実施形態のインターホン装置３は、ワイヤレス端末表示用の画像データをカメラ付き玄関子機側で生成する点で第２実施形態のインターホン装置２と共通するが、ワイヤレス端末表示用の画像データを画像切り出し部により生成するのではなく、カメラ自体により生成するようになっている点で異なる。
【００５５】
以下、上記実施形態と異なるカメラ付き玄関子機８０、および居室親機９０の構成について説明する。まず、カメラ付き玄関子機８０の構成を説明する。
【００５６】
カメラ８０１は、第１の画角と、この第１の画角よりも狭い画角である第２の画角の二種類の画角で交互に撮像を行うようになっている。カメラ８０１は、例えば１７０°のような広画角での撮像と、それよりも狭い画角での撮像とを交互に行うようになっている。このカメラ８０１からは、広画角で撮像された画像データと、そのうちの一部分を拡大して撮像された画像データが交互に出力されることとなる。
ＪＰＥＧエンコーダ８０２は、カメラ８０１から出力される二種類の画像データを圧縮し、圧縮画像データ、すなわちＪＰＥＧデータにエンコードするものである。
伝送部８０３は、ＪＰＥＧエンコーダ８０２から出力されるＪＰＥＧデータを伝送線路１００を介して居室親機９０に伝送するものである。
【００５７】
居室親機９０は、伝送部９０１と、マルチプレクサ９０２と、シリアル通信部９０３と、ワイヤレスモジュール９０４と、ＪＰＥＧデコーダ９０５と、モニタ９０６とを備える。
伝送部９０１は、伝送線路１００を介してカメラ付き玄関子機８０から伝送されたＪＰＥＧデータを含んだ信号を受信するものである。
マルチプレクサ９０２は、伝送部９０１で受信したＪＰＥＧデータの出力先を切り替えるものであり、ＪＰＥＧデータをシリアル通信部９０３またはＪＰＥＧデコーダ９０５のいずれかに出力する。
【００５８】
シリアル通信部９０３は、マルチプレクサ９０２から入力されたＪＰＥＧデータの伝送制御を行うものである。
ワイヤレスモジュール９０４は、シリアル通信部９０３からのＪＰＥＧデータをワイヤレス端末３０に無線伝送するためのものである。
【００５９】
ＪＰＥＧデコーダ９０５は、マルチプレクサ９０２から受け取ったＪＰＥＧデータを伸張し、画像データを出力するものである。
モニタ９０６は、例えば４〜５インチ程度のサイズのモニタであり、ＪＰＥＧデコーダ９０５から出力された画像データを表示するものである。
【００６０】
次に、以上のような構成のインターホン装置３の動作について、説明する。
【００６１】
カメラ付き玄関子機８０のカメラ８０１は、図示しないカメラ付き玄関子機ＣＰＵの制御に基づき、第１の画角および第２の画角の二種類の画角で交互に撮像を行う。
このカメラ８０１による撮像は、具体的には図６のフローチャートのように実行される。
来訪者によるカメラ付き玄関子機８０の呼出操作が行われると（ＳＴ１０１）、図示しない居室親機ＣＰＵは、カメラ８０１による撮像開始命令をカメラ付き玄関子機８０に送る（ＳＴ１０２）。また、居室親機ＣＰＵは、居室親機９０に設けられたタイマをスタートさせる。
撮像開始命令を受信したカメラ付き玄関子機ＣＰＵは、第１の画角による撮像を開始する撮像開始命令をカメラ８０１に送信する（ＳＴ１０３）。この第１の画角による撮像は、設定された所定の時間（例えば３３ｍｓ）が経過するまで行われる（ＳＴ１０４：Ｎｏ）。所定の時間が経過した場合（ＳＴ１０４：Ｙｅｓ）、カメラ付き玄関子機ＣＰＵにより、第２の画角による撮像を開始する撮像開始命令をカメラ８０１に送信される（ＳＴ１０５）。この第２の画角による撮像は、設定された所定の時間が経過するまで行われる（ＳＴ１０６）。
所定の時間が経過した場合であって（ＳＴ１０６：Ｙｅｓ）タイマがカウントアップし（ＳＴ１０７：Ｙｅｓ）、まだ通話中である場合、または、まだタイマがカウントアップしていない場合であって（ＳＴ１０７：Ｎｏ）終話していない場合（ＳＴ１０８：Ｎｏ）には、再びカメラ付き玄関子機ＣＰＵから第１の画角による撮像を開始する撮像開始命令がカメラ８０１に送信される（ＳＴ１０３）。
一方、タイマがカウントアップし（ＳＴ１０７：Ｙｅｓ）、通話中でない場合、または、まだタイマがカウントアップしていない場合であって（ＳＴ１０７：Ｎｏ）終話した場合（ＳＴ１０８：Ｙｅｓ）には、居室親機ＣＰＵから撮像終了命令がカメラ付き玄関子機８０に送られることとなる（ＳＴ１０９）。
【００６２】
以上のようにしてカメラ８０１により撮像され生成された二種類の画像データは、ＪＰＥＧエンコーダ８０２に入力される。
ＪＰＥＧエンコーダ８０２は、カメラ８０１からの画像データを圧縮し、ＪＰＥＧデータにエンコードする。ＪＰＥＧエンコーダ８０２から出力されたＪＰＥＧデータは、伝送部８０３から伝送線路１００を介して居室親機９０に送信される。
【００６３】
カメラ付き玄関子機８０から伝送線路１００を介して居室親機９０に送信されたＪＰＥＧデータは、伝送部９０１により受信され、マルチプレクサ９０２に入力される。
マルチプレクサ９０２は、伝送部９０１から受け取ったＪＰＥＧデータを、シリアル通信部９０３またはＪＰＥＧデコーダ９０５のいずれかに出力する。これにより、マルチプレクサ９０２に入力されたＪＰＥＧデータは、ワイヤレス端末３０への伝送用のＪＰＥＧデータまたは居室親機９０での表示用のＪＰＥＧデータのいずれかに振り分けられることとなる。
具体的には、カメラ８０１により第１の画角で撮像されたＪＰＥＧデータがＪＰＥＧデコーダ９０５に出力され、カメラ８０１により第２の画角で撮像されたＪＰＥＧデータがシリアル通信部９０３に出力されるようになっている。すなわち、マルチプレクサ９０２により、広画角で撮像された広角ＪＰＥＧデータが表示用のＪＰＥＧデータに、そのうちの一部分を拡大したＪＰＥＧデータがワイヤレス端末３０への伝送用のＪＰＥＧデータに振り分けられるようになっている。
【００６４】
マルチプレクサ９０２からシリアル通信部９０３に入力されたＪＰＥＧデータは、ワイヤレスモジュール９０４からワイヤレス端末３０に無線伝送される。
居室親機９０のワイヤレスモジュール９０４からワイヤレス端末３０のワイヤレスモジュール３０１に無線伝送されたＪＰＥＧデータは、ＪＰＥＧデコーダ３０２により伸張され、モニタ３０３に表示される。
【００６５】
一方、マルチプレクサ９０２からＪＰＥＧデコーダ９０５に入力されたＪＰＥＧデータは、ＪＰＥＧデコーダ９０５により伸張され、モニタ９０６に表示される。
【００６６】
以上のような本実施形態のインターホン装置３では、カメラ８０１により広画角で撮像された画像データ（第１の画角で撮像された画像データ）と、そのうちの一部分を拡大して撮像された画像データ（第２の画角で撮像された画像データ）とが交互に生成され、図７に示すように、カメラ８０１により第１の画角で撮像された画像データ（Ａ）と、第２の画角で撮像された画像データ（Ｂ）とがカメラ付き玄関子機８０の伝送部８０３から居室親機９０に交互に伝送されるようになっている。居室親機９０では、カメラ付き玄関子機８０から受け取ったカメラ８０１により第１の画角で撮像された画像データ（Ａ）がモニタ画面の大きい居室親機９０のモニタ９０６に表示され、第２の画角で撮像された画像データ（Ｂ）がワイヤレス端末表示用の画像データとしてワイヤレス端末３０に送信されるようになっている。
すなわち、本実施形態のインターホン装置３においても、モニタ画面の大きさに応じた異なる画像データを表示することができ、居室親機９０における利便性を低下させることなく、ワイヤレス端末３０における視認性を向上させることができる。
さらに、本実施形態のインターホン装置３では、上述の実施形態と異なり、画像切り出し部によりワイヤレス端末表示用の画像データを生成するのではなく、カメラ付き玄関子機８０のカメラ８０１自体により居室親機表示用の画像データとワイヤレス端末表示用の画像データを生成するようになっているので、居室親機表示用の画像データと、ワイヤレス端末表示用の画像データとを画像変換することなく得ることができ、画像変換によるノイズのない滑らかな画像データを得ることができる。
【００６７】
以上のような第１実施形態ないし第３実施形態における居室親機２０，６０，９０において、居室親機表示用の画像データ、またはワイヤレス端末表示用の画像データを録画するように構成してもよい。
【符号の説明】
【００６８】
１，２，３，１１０・・インターホン装置、１０，５０，８０，１２０・・カメラ付き玄関子機、２０，６０，９０，１３０・・居室親機、３０，１４０・・ワイヤレス端末、４０，７０，１００，１５０・・伝送線路、１０１，５０１，８０１，１２０１・・カメラ、１０２，５０２，８０２，１２０２，１３０４・・ＪＰＥＧエンコーダ、１０３，２０１，５０５，６０１，８０３，９０１，１２０３，１３０１・・伝送部、２０２，５０４，６０２，９０２・・マルチプレクサ、２０３，５０３・・画像切り出し部（画像切り出し手段）、２０４，６０３，９０３・・シリアル通信部、２０５，３０１，６０４，９０４，１３０５，１４０１・・ワイヤレスモジュール、２０６，３０２，６０５，１３０２，１４０２・・ＪＰＥＧデコーダ、２０７，３０３，６０６，９０６，１３０３・・モニタ。
【図１】
2010278765.tif 000003
【図２】
2010278765.tif 000004
【図３】
2010278765.tif 000005
【図４】
2010278765.tif 000006
【図５】
2010278765.tif 000007
【図６】
2010278765.tif 000008
【図７】
2010278765.tif 000009
【図８】
2010278765.tif 000010